(57)【要約】  本発明は、被細断物を投入するための投入口（２６ａ）を有する筐体（１−２）と、投入口から投入された被細断物を細断刃（３７）により細断する細断機構（３）と、細断機構により細断された細断屑を筐体内に収容し且つ当該筐体から出し入れ可能に配された屑入れ（７）と、屑入れ内に堆積した細断屑の上面を均すべく屑入れを筐体（１−２）から出し入れする前側から後側へ向けて斜め下方向に動作し得る屑均し機構（４）とを具備するシュレッダに関する。本発明は、これにより、筐体内のスペースを有効に利用して細断屑の排出作業回数を有効に節約し得る。
2015068528.tif 000002
【特許請求の範囲】
【請求項１】
被細断物を投入するための投入口を有する筐体と、前記投入口から投入された被細断物を細断刃により細断する細断機構と、この細断機構により細断された細断屑を前記筐体内に収容し且つ当該筐体から出し入れ可能に配された屑入れと、この屑入れ内に堆積した細断屑の上面を均すべく前記屑入れを筐体から出し入れする前側から後側へ向けて斜め下方向に動作し得る屑均し機構とを具備することを特徴とするシュレッダ。
【請求項２】
前記屑均し機構が、前記筐体の後側に取り付けられている請求項１記載のシュレッダ。
【請求項３】
前記屑均し機構が、モータと、このモータによる回転動作を往復動作へと変換する動作変換部材と、この動作変換部材の動作によって細断屑を均す作動部材とを有している請求項１又は２記載のシュレッダ。
【請求項４】
前記動作変換部材と前記作動部材とをリンク機構を介して接続している請求項３記載のシュレッダ。
【請求項５】
前記リンク機構が、一のリンクメンバを水平方向に延びた状態で固定された固定メンバとした四辺リンクであり、前記動作変換部材が前記固定メンバに枢着された駆動リンクメンバに接続され、前記駆動リンクメンバに枢着され且つ前記固定メンバに対し並行する姿勢で動作する動作リンクメンバに前記作動部材が固定されている請求項４記載のシュレッダ。
【請求項６】
前記リンク機構が、前記動作リンクメンバが動作上端に位置付けた退避位置にあるときに前記固定メンバに対し側面視略重複する請求項４又は５記載のシュレッダ。
【請求項７】
前記リンク機構が、前記退避位置よりも前記動作リンクメンバが上方へ動作する逆方向動作を禁止する誤動作禁止部を備えている請求項４、５又は６記載のシュレッダ。
【請求項８】
前記屑均し機構がモータによって駆動されるものであり、前記細断機構の動作を制御する回路基板とは前記細断刃を隔てた反対側に前記モータを位置付けている請求項１、２、３、４、５、６又は７記載のシュレッダ。
【請求項９】
前記屑均し機構が、前記細断刃が作動しているときは常に作動している請求項１、２、３、４、５、６、７又は８記載のシュレッダ。
【請求項１０】
前記筐体が、前記屑入れ内を照らし得る照明装置と、この照明装置により照らされた前記屑入れ内を視認し得る視認窓とを有している請求項１、２、３、４、５、６、７、８又は９記載のシュレッダ。
【請求項１１】
前記筐体が前記細断機構を下方から支持している棚板を有するものであり、前記屑均し機構を一のケースに組み付けられた屑均しユニットとして構成し、この屑均しユニットが前記筐体において前記棚板のさらに下側から着脱可能に取り付けられる請求項１、２、３、４、５、６、７、８、９又は１０記載のシュレッダ。
【発明の詳細な説明】
【技術分野】
【０００１】  本発明は、オフィスにおいて好適に使用されるシュレッダに関するものである。
【背景技術】
【０００２】  従来、オフィスにおいて、書類に記された情報が漏洩することを防止するために書類を廃棄する際に解読不能に細断するシュレッダが提案されている(例えば、非特許文献１参照)。これらのシュレッダの多くが、筐体内に堆積される細断屑を収容するための屑入れを筐体から出し入れ可能に設けている。そして使用者はこの細断屑が屑入れ内で満杯に堆積されるかそれに近い状態と認識したときに細断屑を筐体外に排出する作業を行う。また、シュレッダにおいては細断屑が屑入れ内により多く収容されるよう、堆積した細断屑の上面を平らに均（なら）す、所謂屑均し機構を備えたものもある（例えば、非特許文献１及び特許文献１参照）。【０００３】  上述した屑均し機構の態様としては、特許文献１に開示されているものは屑入れ内の細断屑に対して直接接触することにより押圧しながら均す態様を採用しており、斯かる態様により細断屑は屑入れ内により多く収容される。【０００４】  しかしながら特許文献１に記載のもののような屑均し機構であると、屑均し機構の動作が細断屑を介して屑入れにまで伝わり、屑入れが筐体内でずれてしまうこととなる。特に特許文献１記載のものは細断屑を後方から前方へ均すものである。そのため、前方に設けられた扉に屑入れが干渉することを回避するため、斯かる態様の屑均し機構を適用したシュレッダは実際には、扉の近傍に屑入れを位置決めするための格別の位置決め要素を設けなければならない。
【先行技術文献】
【特許文献】
【０００５】
【特許文献１】特開平８−１０２４号公報
【非特許文献】
【０００６】
【非特許文献１】「コクヨ２０１３総合カタログ」、オフィスステーショナリー編、コクヨ株式会社、２０１２年１２月発行（Ｐ．４０３の中段中央及び右側に示されているシュレッダ）
【発明の概要】
【発明が解決しようとする課題】
【０００７】  本発明は、上述したような点に着目したものであり、筐体内のスペースを有効に利用して細断屑の排出作業回数を有効に節約し得るシュレッダを提供することを目的としている。
【課題を解決するための手段】
【０００８】  本発明は、このような目的を達成するために、次のような手段を講じたものである。【０００９】  すなわち本発明に係るシュレッダは、被細断物を投入するための投入口を有する筐体と、前記投入口から投入された被細断物を細断刃により細断する細断機構と、この細断機構により細断された細断屑を前記筐体内に収容し且つ当該筐体から出し入れ可能に配された屑入れと、この屑入れ内に堆積した細断屑の上面を均すべく前記屑入れを筐体から出し入れする前側から後側へ向けて斜め下方向に動作し得る屑均し機構とを具備することを特徴とする。【００１０】  ここで、屑均し機構による細断屑の上面を「均す」動作とは、単に細断屑の上面を上方から圧縮する動作のみに限られない。すなわち、細断屑の上面に起伏が有る場合は当該起伏を無くすように上面のみを寄せたり散らしたりすることによって均す動作や、細断屑に直接触れずとも風や振動によって細断屑を動かすような動作をも含まれる概念である。【００１１】  このようなものであれば、屑均し機構の動作により屑入れが前側にずれてしまい屑入れが前側に筐体からはみ出してしまうことや、筐体に不要に干渉してしまうことを有効に回避し得る。その結果、筐体内のスペースを有効に利用した、より大きな寸法すなわち容量を有する屑入れの適用が可能となる。【００１２】  また屑均し機構を筐体の後側に取り付けておけば、筐体における前側上方のスペースを確保することで使用者に近い前側のスペースを有効に確保することができ、当該前側のスペースを使用者による利用頻度が高い投入口や操作部等を配置できるのみならず、屑均し機構自体の動作により発生する音や熱を使用者から遠ざけることができる。【００１３】  そして屑均し機構の動作を正確に行い得る具体的な態様として、前記屑均し機構が、モータと、このモータによる回転動作を往復動作へと変換する動作変換部材と、この動作変換部材の動作によって細断屑を均す作動部材とを有している態様を挙げることができる。【００１４】  また、簡素な構成により作動部材の正確な動作を実現するためには、前記動作変換部材と前記作動部材とをリンク機構を介して接続することが望ましい。【００１５】  特に、細断屑の上面を水平方向に平らに均し得るようにするための具体的な構成として、前記リンク機構が一のリンクメンバを水平方向に延びた状態で固定された固定メンバとした四辺リンクであり、前記動作変換部材が前記固定メンバに枢着された駆動リンクメンバに接続され、前記駆動リンクメンバに枢着され且つ前記固定メンバに対し並行する姿勢で動作する動作リンクメンバに前記作動部材が固定されている構成を挙げることができる。【００１６】  また、屑均し機構が筐体内で占めるスペースを節約し、屑入れをより大きなサイズに設定できるようにするためには、前記リンク機構を、前記動作リンクメンバが動作上端に位置付けた退避位置にあるときに前記固定メンバに対し側面視略重複するようにすればよい。【００１７】  そして、リンク機構の正確な動作を担保するためには、前記リンク機構が、前記退避位置よりも前記動作リンクメンバが上方へ動作する逆方向動作を禁止する誤動作禁止部を備えているようにすれば好ましい。【００１８】  ま��屑均し機構自体が細断機構の動作に干渉し難い態様として、前記屑均し機構がモータによって駆動されるものであり、前記細断機構の動作を制御する回路基板とは前記細断刃を隔てた反対側に前記モータを位置付けている態様を挙げることができる。【００１９】  屑均し機構自体に細断屑が付着してしまうことを回避し、屑均し機構自体や他の機能の正確な作動を有効に担保するためには、前記屑均し機構を、前記細断刃が作動しているときは常に作動するようにすることが望ましい。【００２０】  屑均し機構の作動や屑入れ内の細断屑の正確な量を使用者が容易に確認できるようにするためには、前記筐体に、前記屑入れ内を照らし得る照明装置と、この照明装置により照らされた前記屑入れ内を視認し得る視認窓とを設けることが望ましい。【００２１】  屑均し機構自体のメンテナンスや交換を容易なものとして当該屑均し機構の正確な動作を有効に担保するための構成として、前記筐体が前記細断機構を下方から支持している棚板を有するものであり、前記屑均し機構を一のケースに組み付けられた屑均しユニットとして構成し、この屑均しユニットが前記筐体において前記棚板のさらに下側から着脱可能に取り付けられる構成を挙げることができる。
【発明の効果】
【００２２】  本発明によれば、筐体内のスペースを有効に利用して細断屑の排出作業回数を有効に節約し得るシュレッダを提供することができる。
【図面の簡単な説明】
【００２３】
【図１】本発明の一実施形態に係る外観図。
【図２】同実施形態に係る斜視図。
【図３】同正面図。
【図４】同平面図。
【図５】同右側面図。
【図６】同左側面図。
【図７】同実施形態に係る他の外観図。
【図８】同分解斜視図。
【図９】同実施形態に係る構成説明図。
【図１０】同要部の外観図。
【図１１】同実施形態に係る動作説明図。
【図１２】同上。
【図１３】同上。
【図１４】同実施形態に係る要部の作用説明図。
【図１５】同実施形態に係る他の要部の作用説明図。
【図１６】同実施形態の変形例に係る要部の外観図。
【図１７】同変形例に係る動作説明図。
【図１８】同上。
【発明を実施するための形態】
【００２４】  以下、本発明の一実施の形態について図面を参照して説明する。
【００２５】  本実施形態に係るシュレッダは、例えばオフィスにおいて好適に適用され得るものである。
【００２６】  このシュレッダは、立設部材たる柱体１３を有する枠構造体１及び遮蔽板たる面板２からなるシュレッダ本体たる筐体内に、紙等の被細断物を細断する細断刃３７を有する細断機構たる細断ユニット３と、この細断ユニット３によって細断された被細断物である細断屑Ｄを筐体内で収容するための屑入れ７と、屑入れ７内に堆積した細断屑Ｄの上面が水平となるよう均すための屑均し機構たる屑均しユニット４と、これら屑均しユニット４及び細断ユニット３の作動を具体的に制御する制御機構６を構成するための回路ユニット５を組み付けてなるものである。
【００２７】  しかして本実施形態に係るシュレッダは、被細断物を投入するための投入口２６ａを有する筐体と、投入口２６ａから投入された被細断物を細断刃３７により細断する細断機構たる細断ユニット３と、この細断ユニット３により細断された細断屑Ｄを筐体内に収容し且つ当該筐体から出し入れ可能に配された屑入れ７と、この屑入れ７内に堆積した細断屑Ｄを均すべく屑入れ７を筐体から出し入れする前側から後側へ向けて斜め下方向に動作し得る屑均し機構たる屑均しユニット４とを具備することを特徴とする。
【００２８】  以下、シュレッダの各部の構成につい図１〜図１５に示して詳述する。本実施形態に係るシュレッダは、枠構造体１に対し、遮蔽板たる面板２を組み付けることによって筐体を構成してなる。なお図１では屑入れ７の図示を省略するとともに屑入れ７の向こう側に見える後柱１３２を破線にて図示している。
【００２９】  ＜枠構造体１＞  枠構造体１は、床面に接地する接地体１１と、この接地体１１を下面側に組み付けてなる底板１２と、この底板１２にそれぞれ固定、立設される立設部材たる柱体１３と、柱体１３間に架設されてなる架設体たる棚板１４と、柱体１３の上端を一部の面板２とともに固定する固定枠１５とを有している。
【００３０】  接地体１１は、底板１２の前後両側に取り付けられた対をなす前側キャスタ１１ａ及び後側キャスタ１１ｂと、前側キャスタ１１ａよりも巾方向における内側に取り付けられた対をなすアジャスタ１１ｃとを有してなる。本実施形態では前側キャスタ１１ａについて、床面上の移動を禁止し得るロック機構を備えたものとして、シュレッダの移動の禁止／許容をシュレッダの前側からの操作のみで行い得るようにしている。そして前側キャスタ１１ａ、後側キャスタ１１ｂによって床面を移動させる際にはアジャスタ１１ｃの接地面は床面から浮上させておき、所要の位置にシュレッダを位置決めした後、アジャスタ１１ｃの接地面を床面に接地させることで、シュレッダを床面状に安定して載置し得るようにしている。
【００３１】  底板１２は、板金素材を適宜折り曲げて形成した底板本体１２１に対し、ねじ穴であるキャスタ取付部１２２と、四隅において例えば溶接及びねじ止めにより柱体１３を固定する柱取付部１２３と、下方に板金素材を延出させてなるアジャスタ取付部１２４と、このアジャスタ取付部１２４に溶接により固定されたナットでありアジャスタをねじ送りによる昇降可能に支持するための固定ナット１２５とを有している。
【００３２】  柱体１３は、底板１２の前端両側に設けた対をなす前柱１３１と後端両側に設けた対をなす後柱１３２とを有している。
【００３３】  前柱１３１は、下端を溶接及びねじ止めによって底板１２に強固に固定されるとともに外側方において上下四箇所に等間隔に設けられた側フック１３３と、上面において固定枠１５に固定されるために前後二つ設けられた上固定穴１３６とを有している。そして右側の前柱１３１についてはさらに上下二箇所に蝶番固定部１３４を設けることによりスライド蝶番１６を介して面板２である前扉２１を開成可能に蝶着支持できるようにしている。
【００３４】  対をなす後柱１３２は、本実施形態では左右対称形状を有するもので、面板２である側面板２２を取り付けるための側フック１３３及び背面板２３を取り付けるための後フック１３５を設けている。そしてこの後柱１３２においても上端において固定枠１５に固定されるための上固定穴１３６をそれぞれ一つずつ形成してある。そして側フック１３３及び後フック１３５は、本実施形態に係る遮蔽板着脱機構を構成する。
【００３５】  棚板１４は、前後方向中央よりやや前側に形成された屑排出口１４１と、屑均ユニット４の一部を挿通させるためのリンク挿通孔１４２と、上面側四箇所に形成される細断ユニット３を取り付けるための細断側取付部１４３と、下面側に設けられた開口及びビス孔からなる屑均し取付部１４４と、前端において制御回路５２を組み付けた回路ユニット５を取り付けるための回路板取付部１４５とを有している。すなわちこの棚板１４は、上側から細断ユニット３を、下側からは屑均しユニット４を、それぞれ独立して着脱可能に取り付けてなる。そして本実施形態ではこの棚板１４は上記細断ユニット３、屑均しユニット４及び回路ユニット５の他に、下面側において屑入れ７内に光を照らし得るＬＥＤ照明６７と、屑入れ７内に堆積した細断屑Ｄの上面との距離を測ることができる測距センサ６６を取り付けている。このＬＥＤ照明６７及び測距センサ６６は、回路ユニット５に組み付けられた制御回路５２とともに、庫内照明制御機構を構成している。
【００３６】  固定枠１５は、四角枠状の板金素材を折り曲げ成形したものであり、前柱１３１、後柱１３２の上端に設けられた上固定穴１３６に連通した状態でビス止めされるための共締穴１５１と、両側面及び背面側において板金素材を下方へ向かって直角に折り曲げ成形されて形成された付勢部たる立壁１５２とを有している。この固定枠１５を柱体１３に取り付けたときには、柱体１３に対し面板２ががたつき無く強固に固定されることになるが、その詳細な態様については後に説明する。
【００３７】  スライド蝶番１６は、柱体１３と前扉２１との間に設けられ遮蔽板である前扉２１が筐体の内部を遮蔽する閉止位置（Ｐ１）から屑入れ７の出し入れが容易な持出開成位置（Ｐ２）まで回動可能に支持しているものである。スライド蝶番１６は、前扉２１を９０°以上である約１８０°回転可能に支持するものである。そしてこのスライド蝶番１６は、前扉２１を９０°よりも大きい角度で開成させた持出開成位置（Ｐ２）において閉止姿勢（Ｐ１）にある前扉２１の厚み寸法と同方向、つまり前側へスライドさせた回転中心１６ａにより前扉２１を支持するようにしている。このスライド蝶番１６は、本実施形態に係る遮蔽板着脱機構を構成する。
【００３８】  ＜面板２＞  面板２は、上記柱体１３にそれぞれ着脱可能に組み付けられることによって、細断ユニット３を外方から遮蔽する遮蔽板に相当するものであるとともに底面以外の筐体の外面を構成し得る。この面板２は、前扉２１と、対をなす側面板２２と、背面板２３と、天板２４とを有してなる。そして本実施形態では、前柱１３１、後柱１３２に対して水平方向である四方から取り付けられる前扉２１、側面板２２及び背面板２３は全て遮蔽板着脱機構を介して着脱可能に取り付けられる。
【００３９】  前扉２１は、スライド蝶番１６を介して前柱１３１に開閉可能に取り付けられている、主に板金素材の折り曲げからなるものである。この前扉２１は、前側を覆う前化粧面２１１と、棚板１４の下方を視認し得るように例えば透明板を嵌め設けた視認窓２１２と、スライド蝶番１６の取付箇所である被取付部２１３と、上端を概略半円状に凹ませて手指を引っ掛けやすいように板金素材を塑性変更させて設けた把手面部２１４とを有している。
【００４０】  側面板２２は、右側面側の側面板２２と左側面側の側面板２２とがそれぞれ前柱１３１及び後柱１３２に取り付けられてなる。これら両方の側面板２２は、互いに左右対称に形成されてなる。この側面板２２は、両側をそれぞれ覆う側化粧面２２１と、裏面側前後端に設けられ前柱１３１、後柱１３２に取り付けられる取付部２２２とを有している。この取付部２２２には、側フック１３３に係り合い得る位置にフック穴２２３が穿たれている。このフック穴２２３は、本実施形態に係る遮蔽板着脱機構に相当する。
【００４１】  背面板２３は後柱１３２に着脱可能に取り付けられる。この背面板２３は、背面側を覆う背化粧面２３１と、この背化粧面２３１の裏面側に設けられ後柱１３２に取り付けられる取付部２３２と、背化粧面２３１における二箇所に嵌め設けられた持上把手２３５とを有している。そして取付部２３２には、後フック１３５に係り合い得る位置にフック穴２３３が穿たれている。このフック穴２３３は、本実施形態に係る遮蔽板着脱機構に相当する。
【００４２】  天板２４は、柱体１３の上端に取り付けられるもので、本実施形態では柱体１３の上端に固定枠１５がねじ止めされた後に、この固定枠１５の上側から取り付けられる。この天板２４は、使用者による操作を受け付ける操作面部２５と、紙等の被細断物を挿入し得る投入部２６と、この投入部２６の奥方において使用者が投入しようとする被細断物の量すなわち厚みを制限しておくための狭小部材２８と、投入部２６近傍において細断モータ３６に掛かる負荷つまり細断モータ３６に流れる電流量に応じて色を異ならせて発光する細断状態表示ランプ２７とを有している。具体的に説明すると、投入部２６は奥方にある投入口２６ａに被細断物を挿入し易いようにテーパ形状に形成してなり、投入口２６ａの奥方に連続して狭小部材２８が組み付けられている。この狭小部材２８には、被細断物の通路として最も狭く構成すべく狭小凸部２８ａが形成してあり、この狭小凸部２８ａが形成してある箇所における投入部２６の隙間は、例えば本実施形態では２．３ｍｍに設定し、事務用途のコピー用紙であれば２０枚分の厚みに略相応するようにしてある。なおこの狭小部材２８は取付軸２８ｂを中心に動作させると狭小凸部２８ａを退避させて、狭小凸部２８ａの箇所にて被細断物が詰まってしまった場合には隙間を拡げて被細断物を除去し易いようにしてある。そして細断状態表示ランプ２７は、このように制御される細断モータ３６の電流値が大きくなることに応じて、例えば緑色、黄色そして赤色へと色を変えて点灯する。そして、細断モータ３６が正常な細断を行えないまでに負荷が増大したと判断されたときは、細断状態表示ランプ２７は赤色で点滅するようになっている。
【００４３】  ＜細断ユニット３＞  細断ユニット３は、本実施形態に係る細断機構を構成するものである。この細断ユニット３は、細断刃３７を有する細断部３２と、直流モータである細断モータ３６を主体としてなる駆動部３１と、この駆動部３１、具体的には細断モータ３６の駆動軸３６ａからの駆動力を細断部３２に伝達し得る動力伝達部３３と、これら細断部３２、駆動部３１及び動力伝達部３３を組み付けてなるケーシング３４と、このケーシング３４と棚板１４との間に介在するスタビライザ３５とを有している。細断部３２は、互いに正面視噛み合うように配された対をなす細断刃３７と、これら細断刃３７同士の動作を同期させるための図示しない駆動側ギヤ及び従動側ギヤとを有している。なお細断部３２においては細断刃３７に細断屑Ｄが付着することを防止するスクレイパも備えられているが、図８において当該スクレイパの図示及び説明も省略する。動力伝達部３３は、本実施形態では細断モータ３６の駆動軸３６ａに取り付けられたモータ側プーリ３３１と、細断刃３７側に設けられた刃側プーリ３３２と、これらモータ側プーリ３３１及び刃側プーリ３３２間に掛け設けられたベルト３３３とを有している。ケーシング３４は、細断刃３７及び細断モータ３６を両側から支持する対をなす側板３４１と、これら側板３４１間に架設された丸パイプ状の鋼材からなる四本のステー３４２と、細断部３２の前側をカバーする前側仕切り板３４３と、細断部３２と駆動部３１とを仕切るための後側仕切り板３４４とを有している。スタビライザ３５はケーシング３４と棚板１４との間にゴム等の振動吸収素材を介在させた状態でケーシング３４を棚板１４に固定するためのものである。このスタビライザ３５によって細断部３２、駆動部３１の作動による振動や騒音の発生を低減せしめている。
【００４４】  ＜屑均しユニット４＞  屑均しユニット４は本実施形態に係る屑均し機構に相当するものである。この屑均しユニット４は、棚板１４の後側下方に設けられた屑均し取付部１４４に着脱可能に組み付けられてなる。屑均しユニット４は、モータ４１と、このモータ４１の回転軸４１ａの回転動作を往復動作へと変換する動作変換機構４２と、この動作変換機構４２の往復動作を実際の細断屑Ｄを均す動作へと変換するリンク機構４３と、このリンク機構４３に組み付けられ細断屑Ｄに接する作動部材たる線状枠４８と、これらモータ４１、動作変換機構４２及びリンク機構４３を組み付けてなる単一のケース４９とを有している。モータ４１は、細断機構である細断ユニット３の動作を制御する制御回路５２とは細断刃３７を隔てた反対側に位置付けられている。動作変換機構４２は、回転軸４１ａに固定されたクランクメンバ４２１と、リンク機構４３側に係り合う動作凸部４２２とを有している。リンク機構４３は、リンク機構４３が一のリンクメンバをケース４９に対し水平方向に延びた状態で固定された固定メンバ４４とした四辺リンクである。そして本実施形態ではリンク機構４３は側面視矩形状をなし両側に対をなしてリンクメンバを存在させた概略パンタグラフ構造をなす。リンク機構４３は具体的には固定メンバ４４の前後に設けられた前固定軸４３ａ及び後固定軸４３ｂを介してそれぞれ駆動リンクメンバ４５及び従動リンクメンバ４６の基端側をそれぞれ枢着するとともに、これら駆動リンクメンバ４５及び従動リンクメンバ４６の先端側を前動作軸４３ｃ及び後動作軸４３ｄを介して動作リンクメンバ４７を枢着することにより四辺リンクを構成している。そして駆動リンクメンバ４５は、左側において上端に長穴４５３を穿った動力伝達部４５１と、両側間の動作を同期させるための同期板部４５２とを有している。動作変換部材たるクランクメンバ４２１は、固定メンバ４４に枢着された駆動リンクメンバ４５の動力伝達部３３に動作凸部４２２を挿入する態様にて接続されている。そして動作リンクメンバ４７の下端に作動部材たる線状枠４８が枢着固定されている。また本実施形態では斯かる退避位置（Ｚ１）よりも動作リンクメンバ４７が上方へ動作する逆方向動作をケース４９に当接することにより禁止する誤動作禁止部である上限ストッパ４７１を備えている。線状枠４８は、平面視矩形状の外枠４８１と、この外枠の前後方向略中央にて横架される横架枠４８２とを有している。この線状枠４８が動作することによって、山なりに傾斜した細断屑Ｄの上面を徐々に平坦に均していく。取付ケース４９は、モータ４１を支持するケース本体４９１と、棚板１４に下側から接するフランジ状をなす取付面部４９２と、この取付面部の両側に形成されたダルマ孔４９３と、ケース本体４９１の前後にそれぞれ四つずつ形成されたビス孔４９４とを有している。棚板１４へのケース本体４９１の取り付けに際しては、まず棚板１４側に両側二本のボルトを取り付けておき、このボルトの頭部にダルマ孔４９３の狭小部分を引っ掛けることにより、ケース本体４９１を仮止めし、ビス孔４９４を固定するようにできる。
【００４５】  ＜回路ユニット５、屑入れ７＞  本実施形態においてシュレッダの制御は主に、棚板１４の前端に取り付けられた回路ユニット５が司っている。この回路ユニット５は、棚板１４の回路板支持部１４５に支持された回路支持板５１と、この回路支持板５１に固定された制御回路５２とを有している。換言すれば本実施形態では当該回路ユニット５が単体で或いは筐体内に設けられた種々のセンサや構成要素と協働することにより、制御機構６を構成している。この制御機構６には、庫内の照明を制御する庫内照明制御機構とは別に、従来のものと同様、細断ユニット３を制御する細断制御機構、所定条件を満たした場合に直ちに細断刃３７の動作を停止する緊急停止機構、投入部２６に近接する被細断物を検知する被細断物検出機構として作用する。
【００４６】  そして屑入れ７は、本実施形態では筐体内に収容すると平面視底板１２内において柱体１３に略接するまでの平面視の大きさを有するとともに、上端が棚板１４に近接するまでの高さ寸法を有することにより、筐体内のスペースを細断屑Ｄの収容に有効に利用し得る。また本実施形態では、底板１２に屑入れ７の前側には位置決めを行う構成要素は設けられておらず、後側において後柱１３２に当接することによって位置決めが行われている。図７において屑入れ７は側方に持ち手が形成されている態様を図示しているが勿論、持ち手の位置や形状、さらには屑入れ７の具体的な形状、構造については図示の態様に限定されない。
【００４７】  ＜屑均しユニット４の作動説明＞  本実施形態に係るシュレッダは屑入れ７を筐体から出し入れする前側から後側へ向けて斜め下方向に動作し細断屑Ｄの上面を上方から圧縮しつつ水平に均し得る屑均ユニット４を具備している。以下、図１１〜図１３を参照して屑均しユニット４の動作について説明する。
【００４８】  図１１では動作リンクメンバ４７動作上端にある退避位置（Ｚ１）あるときを示している。このとき動作リンクメンバ４７は固定メンバ４４に対し側面視略重複することにより、使用者が視認窓２１２から視認し得ない位置に線状枠４８が退避するとともに、使用者は屑入れ７内に堆積した細断屑Ｄを容易に視認し得る。そして細断モータ３６の作動とともに屑均ユニット４が作動すると、図１２に示すように動作リンクメンバ４７は斜め後方へ動作してゆき、図１３に示すように動作リンクメンバ４７が均し位置（Ｚ２）に位置付けられると線状枠４８が細断屑Ｄの上面に接するようになる。そしてこの図１１から図１３への一連の往復動作が繰り返されることにより、細断屑Ｄの上面は図１３に想像線で示すように下方へ圧縮されつつ且つ平坦に均されていく。
【００４９】  ＜遮蔽板着脱機構の作用説明＞  また本実施形態では図８、図１４及び図１５に示すように、枠構造体１に対して側面板２２及び背面板２３が遮蔽板着脱機構であるフック１３３、１３５及びフック穴２２３、２３３を介して取り付けられるとともに、前扉２１が遮蔽板着脱機構であるスライド蝶番１６を介して取り付けられている。
【００５０】  図１４は、背面板２３を後柱１３２に取り付けた後、固定枠１５を取り付ける態様を模式的に示している。同図に示すように、フック穴２３３は後フック１３５に掛けられる後、固定枠１５に設けられた付勢部つまり立壁１５２が後柱１３２と取付部２３２との間に介在することで、フック穴２３３とフック１３５との係り合いが、がたつきなく強固なものとなる。これにより、側面板２２及び背面板２３は枠構造体１に強固に取り付けられる。換言すればこれら側面板２２及び背面板２３は枠構造と協働することにより、筐体全体としての強度が担保される。
【００５１】  また図１５に示すように、本実施形態では前扉２１がスライド蝶番１６を介して前柱１３１に取り付けられている。なお同図では図示の便宜上、天板２４及び固定枠１５の図示を略している。同図に示すように、前扉２１をスライド蝶番１６を介して取り付けることにより、他の家具Ｉをシュレッダに隣接させて配置しても前扉２１は持出開成位置（Ｐ２）をとり得るので、他の家具Ｉの前面が閉止位置（Ｐ１）にある前扉２１と面一に位置付けられていたとしても前扉２１が他の家具Ｉに干渉することが有効に回避されている。また他の家具Ｉの有無に拘わらず前扉２１を９０°以上開成できるので、オフィスのレイアウトに関係無く屑入れ７の容易な出し入れ作業が担保されている。
【００５２】  ＜照明制御機構の作動説明＞  しかして本実施形態では、図７及び図１１〜図１３に示すように、屑入れ７の内部に堆積した細断屑Ｄの量に伴って、ＬＥＤ照明６７が照らす光の色が異なるように構成している。換言すれば、棚板１４に取り付けたＬＥＤ照明６７及び測距センサ６６と制御回路５２に設けられた電子部品とが協働することにより、制御機構６がＬＥＤ照明６７を制御する照明制御機構として機能する。
【００５３】  図７に示すように、測距センサ６６により検知される当該測距センサ６６と屑入れ７内に堆積した細断屑Ｄの上面との距離から、細断屑Ｄの上面が屑入れ７内部の高さの７０％未満である場合は通常時における緑色領域ＧＡにあると判断し、ＬＥＤ照明６７は緑色の光を照らす。そして細断屑Ｄの堆積が進むにつれて細断屑Ｄの上面の高さが７０％以上、９０％未満であるときは黄色領域ＹＡである判断しＬＥＤ照明６７は黄色の光を照らす。そして細断屑Ｄの上面が９０％以上となると多堆積状態である赤色領域ＲＡであると判断する。そしてＬＥＤ照明６７は赤色の光を照らす。また本実施形態では、細断刃３７の動作中は常に屑均しユニット４が作動し、線状枠４８が動作している。そして本実施形態では特に図１３に示すように、動作リンクメンバ４７が換言すれば均し位置（Ｚ２）に位置付けられるとき、或いはその直後のみ測距センサ６６を作動させることにより、細断屑Ｄの堆積量が過大に判断されることなく正確に把握し得るようにしている。また細断屑Ｄの上面が例えば屑入れ７内部の高さの１００％以上の高さに達し屑入れ７の上端に近接するようなときはさらに赤色の光を点滅させるようにＬＥＤ照明６７を制御しても良い。
【００５４】  以上のような構成とすることにより、本実施形態に係るシュレッダは、屑均し機構たる屑均しユニット４の動作により屑入れ７が前側にずれてしまい屑入れ７が前側に筐体からはみ出してしまうことや、筐体に不要に干渉してしまうことを有効に回避し得る。これにより、筐体内に屑入れ７を位置決めしておくための構成要素を設けることを回避することができる。その結果、筐体内のスペースを有効に利用したより大きな寸法すなわち容量を有する屑入れ７の適用が実現されている。すなわち本発明によれば使用者にとって細断屑Ｄの排出作業回数を有効に節約し得るシュレッダが実現されている。
【００５５】  また本実施形態では、屑均しユニット４を筐体の後側、具体的には棚板１４の後側に取り付け、リンク機構４３の動作基端である固定メンバ４４を棚板１４の後端付近に位置付けている。そのため、筐体における前側上方のスペースを細断刃３や回路ユニット５、天板２４の操作面部２５や投入部２６を配置すべく確保することで使用者に近い前側のスペースを有効に利用できるシュレッダの形状が実現されている。加えてこれにより、屑均しユニット４の動作により発生するモータ４１の動作音や熱を使用者や回路ユニットから遠ざけられ、継続使用に際しての使用者の快適さ及び耐久性を両立せしめている。
【００５６】  特に本実施形態では、屑均しユニット４が棚板１４の後側に取り付けられているので、内部の前側の空間が有効に確保されている。その結果、視認窓２１２を介した細断屑Ｄの堆積状況を把握し易い態様が実現されている。
【００５７】  そして屑均ユニット４の動作を正確に行い得るように本実施形態では、屑均ユニット４が、モータ４１と、このモータ４１による回転動作を往復動作へと変換する動作変換部材と、この動作変換部材の動作によって細断屑Ｄを均す線状枠４８とを有している態様を適用している。
【００５８】  また、簡素な構成により線状枠４８の正確な動作を実現するために本実施形態では、動作変換部材と線状枠４８とをリンク機構４３を介して接続している。
【００５９】  特に、細断屑Ｄの上面を水平方向に平らに均し得るようにするために本実施形態ではリンク機構４３が一のリンクメンバを水平方向に延びた状態で固定された固定メンバ４４とした四辺リンクであり、動作変換部材が固定メンバ４４に枢着された駆動リンクメンバ４５に接続され、駆動リンクメンバ４５に枢着され且つ固定メンバ４４に対し並行する姿勢で動作する動作リンクメンバ４７に線状枠４８が固定されている構成を適用している。
【００６０】  また、屑均しユニット４が筐体内で占めるスペースを節約し、屑入れ７をより大きなサイズに設定できるようにするために本実施形態では、リンク機構４３を、動作リンクメンバ４７が動作上端に位置付けた退避位置（Ｚ１）にあるときに固定メンバ４４に対し側面視略重複するようにしている。
【００６１】  そして、リンク機構４３の正確な動作を担保するために本実施形態では、リンク機構４３が、退避位置（Ｚ１）よりも動作リンクメンバ４７が上方へ動作する逆方向動作を禁止する誤動作禁止部を備えている。
【００６２】  また屑均しユニット４の動作自体が細断機構の動作に干渉し難い態様として本実施形態では、屑均ユニット４がモータ４１によって駆動されるものであり、細断機構の動作を制御する制御回路５２とは細断刃３７を隔てた反対側にモータ４１を位置付け、制御回路５２が高温となることによる悪影響を排除している。
【００６３】  リンク機構４３や線状枠４８自体に細断屑Ｄが付着してしまうことを回避し、正確な作動を有効に担保するために本実施形態では、細断刃３７が作動しているときは常にモータ４１が作動するようにしている。
【００６４】  屑均ユニット４の作動や屑入れ７内の細断屑Ｄの正確な量を使用者が容易に確認できるようにするために本実施形態では、筐体に、屑入れ７内を照らし得る照明装置と、この照明装置により照らされた屑入れ７内を視認し得る視認窓２１２とを設けてなる。
【００６５】  屑均ユニット４自体のメンテナンスや交換を容易なものとして当該屑均ユニット４の正確な動作を有効に担保するために本実施形態では、筐体が細断機構を下方から支持している棚板１４を有するものであり、この屑均しユニット４が筐体において棚板１４のさらに下側から着脱可能に取り付けている。
【００６６】  ＜変形例の構成説明＞  以下に、本実施形態の変形例の構成並びに動作について順次説明する。当該変形例において上記実施形態の構成要素に相当するものに対しては同じ符号を付すとともに、その詳細な説明を省略する。
【００６７】  屑均しユニット４は本変形例に係る屑均し機構に相当するものである。この屑均しユニット４は、棚板１４の後側下方に設けられた屑均し取付部１４４に着脱可能に組み付けられてなる。屑均しユニット４は、モータ４１と、このモータ４１の回転軸４１ａの回転動作を往復動作へと変換する動作変換機構４２とを有する点では上記実施形態と同様である。
【００６８】  しかして本変形例に係る屑均しユニット４は、この動作変換機構４２の往復動作を実際の細断屑Ｄを均す動作へと変換し且つ細断屑Ｄに接する作動部材としても作用する均しバー４３０を適用している。すなわち本変形例では、単一のケース４９はこれらモータ４１、動作変換機構４２及び均しバー４３０を組み付けてなるものである。モータ４１は、細断機構である細断ユニット３の動作を制御する制御回路５２とは細断刃３７を隔てた反対側に位置付けられている。動作変換機構４２は、回転軸４１ａに固定されたクランクメンバ４２１と、均しバー４３０側に係り合う動作凸部４２２とを有している。
【００６９】  そして本変形例では均しバー４３０はケース４９の両側及び中央に往復動作可能に設けられた三本の均しメンバ４３４、４３５、４３６を主体とする。均しバー４３０は具体的にはケース４９に固定された固定メンバ４４の前側に設けられた前固定軸４３ａに均しメンバ４３４の中間部分、並びに均しメンバ４３５、４３６の基端側をそれぞれ枢着された構成をなす。そして左側の均しバー４３４は、上端に長穴４３３を穿った動力伝達部４３１と、両側間の動作を同期させるための同期板部４３２とを有している。取付ケース４９は上記実施形態と同様、モータ４１を支持するケース本体４９１と、棚板１４に下側から接するフランジ状をなす取付面部４９２と、この取付面部の両側に形成されたダルマ孔４９３と、ケース本体４９１の前後にそれぞれ四つずつ形成されたビス孔４９４とを有している。
【００７０】  ＜変形例の作動説明＞  本変形例に係るシュレッダは屑入れ７を筐体から出し入れする前側から後側へ向けて斜め下方向に動作し細断屑Ｄの上面を上方から圧縮しつつ水平に均し得る屑均ユニット４を具備している。以下、図１７及び図１８を参照して屑均しユニット４の動作について説明する。
【００７１】  図１７では均しメンバ４３４、４３５、４３６が動作上端にある退避位置（Ｚ１）にあるときを示している。このとき均しバー４３４、４３５、４３６は固定メンバ４４に対し側面視略重複することにより、使用者が視認窓２１２から視認し得ない位置まで退避しているので、使用者は屑入れ７内に堆積した細断屑Ｄを容易に視認し得る。そして細断モータ３６の作動とともに屑均ユニット４が作動すると、均しメンバ４３４、４３５、４３６の回転に伴い均しメンバ４３４、４３５、４３６の先端４３４ａ、４３５ａ、４３６ａは斜め後方へ動作してゆき、図１８に示すように均しメンバ４３４、４３５、４３６が均し位置（Ｚ２）に位置付けられると均しメンバ４３４、４３５、４３６の先端４３４ａ、４３５ａ、４３６ａが細断屑Ｄの上面に接するようになる。そしてこの図１７から図１８への一連の往復動作が繰り返されることにより、細断屑Ｄの上面は図１８に想像線で示すように下方へ圧縮されつつ且つ平坦に均されていく。
【００７２】  以上、本発明の実施形態及び変形例について説明したが、各部の具体的な構成は、上述した実施形態及び変形例のみに限定されるものではなく、本発明の趣旨を逸脱しない範囲で種々変形が可能である。
【００７３】  例えば、上記実施形態及び変形例では細断刃の作動中は常に屑均し機構が作動する態様を開示したが、勿論、屑入れ内に所定量以上の細断屑が堆積したときのみ屑均し機構が作動する態様を適用したものであってもよい。また作動部材やリンク機構の具体的な態様は上記実施形態及び変形例のものに限定されることはなく、既存のものを含め、種々の態様のものを適用することができる。
【００７４】  その他、各部の具体的構成についても上記実施形態及び変形例に限られるものではなく、本発明の趣旨を逸脱しない範囲で種々変形が可能である。
【産業上の利用可能性】
【００７５】  本発明はオフィスにおいて好適に使用されるシュレッダとして利用することができる。
【符号の説明】
【００７６】  １…筐体（枠構造体）  ２…筐体（面板）  ２６ａ…投入口  ３…細断機構（細断ユニット）  ３７…細断刃  ４…屑均し機構（屑均しユニット）  ７…屑入れ  Ｄ…細断屑
【図１】
2015068528.tif 000003
【図２】
2015068528.tif 000004
【図３】
2015068528.tif 000005
【図４】
2015068528.tif 000006
【図５】
2015068528.tif 000007
【図６】
2015068528.tif 000008
【図７】
2015068528.tif 000009
【図８】
2015068528.tif 000010
【図９】
2015068528.tif 000011
【図１０】
2015068528.tif 000012
【図１１】
2015068528.tif 000013
【図１２】
2015068528.tif 000014
【図１３】
2015068528.tif 000015
【図１４】
2015068528.tif 000016
【図１５】
2015068528.tif 000017
【図１６】
2015068528.tif 000018
【図１７】
2015068528.tif 000019
【図１８】
2015068528.tif 000020
【国際調査報告】
2015068528.tif 000021
2015068528.tif 000022
2015068528.tif 000023
2015068528.tif 000024